(57)【要約】【課題】視認性や開封時に受けるインパクトが強く、訴求効果の大きい販促用フォームを提供すること。【解決手段】裏紙片１０の一側辺に表紙片２０が連接すると共に他側辺に折込み部が連接し、折込み部は順次幅が小さくなった複数の折込み紙片３１〜３３からなり、折込み紙片３１〜３３は裏紙片１０側からその上端縁と下端縁の少なくとも一方が段階的に低くなっている横長の印刷用紙Ｓにより形成されるフォームであって、この印刷用紙Ｓにおける折込み紙片３１〜３３をＺ状に折り畳むことにより、折込み紙片３１〜３３における上端縁又は下端縁を順次ずれた段違い状とした構成とする。折込み紙片３１〜３３における上下の少なくとも一方に段違い状の部分が形成されるので、この段違いの部分にインデックスを印刷しておくことにより、開ける前は通常の販促用フォームでありながら、表紙片を開けるとインデックスが現れる。【選択図】図３
2005254460.tif 000002
【特許請求の範囲】
【請求項１】
裏紙片の一側辺に表紙片が連接すると共に他側辺に折込み部が連接し、折込み部は複数の折込み紙片からなり、各折込み紙片はその上端縁と下端縁の少なくとも一方が裏紙片側から段階的に低くなっている横長の印刷用紙により形成されるフォームであって、この印刷用紙における各折込み紙片をＺ状に折り畳むことにより、各折込み紙片における上端縁又は下端縁を順次ずれた段違い状としたことを特徴とする販促用フォーム。
【請求項２】
表紙片のサイズを裏紙片と略同じとし、折込み部の上下をいずれも裏紙片及び表紙片よりも短くすると共に、表紙片における裏紙片と反対側に糊代片を延設しておき、Ｚ状に折り畳んだ各折込み紙片にかからないようにして裏紙片と表紙片における内面側の上下の縁部を貼着すると共に、前記糊代片の内面側を裏紙片の外面側に貼着して封書の形態としたことを特徴とする請求項１に記載の販促用フォーム。
【請求項３】
Ｚ状に折り畳んだ各折込み紙片における段違い状の部分が見えるように、表紙片の一部に切込又は開口を設けたことを特徴とする請求項１又は２に記載の販促用フォーム。
【請求項４】
裏紙片と折込み部との間に切離し用のミシン目を入れたことを特徴とする請求項１〜３のいずれかに記載の販促用フォーム。
【発明の詳細な説明】
【技術分野】
【０００１】
本発明は、印刷物の一つであるビジネスフォームの技術分野に属し、特に、販促用のダイレクトメール、パンフレット、リーフレット等に用いられる販促用フォームに関するものである。
【背景技術】
【０００２】
従来より、この種の販促用フォームとしては様々なタイプのものがあるが、印刷内容を隠蔽した状態で、しかも多くの情報を盛り込んだものとして、横長の印刷用紙を数回巻き折りした折込みタイプのものやＺ状に折り畳んだＺ折りタイプのものが知られている。このようなタイプの販促用フォームは多くの業態で郵便や宅配便によるダイレクトメールとして使用されており、その場合は、巻き折りしたりＺ折りした印刷用紙の端部を再剥離不能に貼り合わせて封緘し、封書の形態にして発送している。また、折り込んだりＺ折りした状態のまま、店頭の透明ケース等に立てた状態で重ねて入れ、持ち帰り用のパンフレットやリーフレット（テイクワン）としても利用されている。
【特許文献１】特開平７−１２５４７７号公報
【特許文献２】実開平６−８１７７０号公報
【発明の開示】
【発明が解決しようとする課題】
【０００３】
上記した如き販促用フォームは、横長の印刷用紙を数回巻き折りしたりＺ折りしたりしているので、封書形態のものでは、開封した時点では開いたところしか見えず、それより中の部分は巻き折り状態を開かない限りは内容が分からない。したがって、開封時のインパクトに欠けており、他のダイレクトメールとの差別化を図ることができない。また、折り込んだりＺ折りした状態のままでテイクワンに供されるものは、店頭にてケースに入った状態で見るだけでは中の内容が分からないことから、せっかく中の情報量が多いにも関わらず、その内容を知らしめるための視認性に欠ける。
【０００４】
本発明は、このような事情に鑑みてなされたものであり、その目的とするところは、視認性や開封時に受けるインパクトが強く、訴求効果の大きい販促用フォームを提供することにある。
【課題を解決するための手段】
【０００５】
請求項１に記載の発明である販促用フォームは、裏紙片の一側辺に表紙片が連接すると共に他側辺に折込み部が連接し、折込み部は複数の折込み紙片からなり、各折込み紙片はその上端縁と下端縁の少なくとも一方が裏紙片側から段階的に低くなっている横長の印刷用紙により形成されるフォームであって、この印刷用紙における各折込み紙片をＺ状に折り畳むことにより、各折込み紙片における上端縁又は下端縁を順次ずれた段違い状としたことを特徴としている。
【０００６】
請求項２に記載の発明である販促用フォームは、請求項１に記載の販促用フォームにおいて、表紙片のサイズを裏紙片と略同じとし、折込み部の上下をいずれも裏紙片及び表紙片よりも短くすると共に、表紙片における裏紙片と反対側に糊代片を延設しておき、Ｚ状に折り畳んだ各折込み紙片にかからないようにして裏紙片と表紙片における内面側の上下の縁部を貼着すると共に、前記糊代片の内面側を裏紙片の外面側に貼着して封書の形態としたことを特徴としている。
【０００７】
請求項３に記載の発明である販促用フォームは、請求項１又は２に記載の販促用フォームにおいて、Ｚ状に折り畳んだ各折込み紙片における段違い状の部分が見えるように、表紙片の一部に切込又は開口を設けたことを特徴としている。
【０００８】
請求項４に記載の発明である販促用フォームは、請求項１〜３のいずれかに記載の販促用フォームにおいて、裏紙片と折込み部との間に切離し用のミシン目を入れたことを特徴としている。
【発明の効果】
【０００９】
請求項１に記載の発明である販促用フォームは、表紙片と裏紙片に挟まれた折畳み状態の各折込み紙片における上下の少なくとも一方に段違い状の部分が形成されるので、この段違いの部分にインデックスを印刷しておくことにより、開ける前は通常の販促用フォームでありながら、表紙片を開けるとインデックスが現れ、見る人に対して強いインパクトを与えて中身に関心を持たせ、訴求効果を上げることができる。
【００１０】
請求項２の記載の発明である販促用フォームは、上記した効果に加え、封書の形態としたことにより、販促用フォームを郵便や宅配便によるダイレクトメールとして利用できるという効果を奏する。
【００１１】
請求項３に記載の発明である販促用フォームは、上記した効果に加え、裏紙片及び各折込み紙片で形成される段違いの部分が表紙片の切込又は開口から見えるので、ここに印刷したインデックスにより中身を見たいという動機付けができ、開封率を上げることができる。特に店頭用テイクワンとして用いた時に、インデックスにより中身をアピールすることで、見る人に対して手に取る気持ちを起こさせることができる。
【００１２】
請求項４に記載の発明である販促用フォームは、上記した効果に加え、折込み部をインデックス付き小冊子として切り離すことができ、特にダイレクトメールとして用いた場合に、宛名や糊付け部を完全に切り離した冊子とすることができる。
【発明を実施するための最良の形態】
【００１３】
図１は本発明に係る販促用フォームを構成する印刷用紙の一例を示す展開図、図２は図１の印刷用紙を封書形態とした販促フォームを示しており、（Ａ）は正面図、（Ｂ）は背面図である。
【００１４】
図１に示すように、印刷用紙Ｓは、全体に横長で、裏紙片１０の一側辺に折線ａを介して略同じサイズの表紙片２０が連接すると共に他側辺に折線ｂを介して折込み部３０が連接した形態になっている。折込み部３０は、幅が順次僅かに小さくなった３枚の折込み紙片３１〜３３からなり、折込み紙片３１〜３３は間に折線ｃ，ｄを介して連接されると共に裏紙片１０側からその上端縁が段階的に低くなっている。また、折込み紙片３１〜３３の下端縁は一直線状で裏紙片１０の下端縁より高くなっている。このように、折込み部３０の上下はいずれも裏紙片１０及び表紙片２０よりも短くなっている。また、表紙片２０には、裏紙片１０と反対側に糊代片４０が折線ｅを介して延設されている。
【００１５】
このような展開形状の印刷用紙Ｓは、通常のフォーム印刷機により作製できる。すなわち、ロール状原反に所定の印刷を施してから、周囲表面に所定パターンの刃型を有するローラカッターと受けローラとの間を通過させて、上端縁と下端縁に段付き加工を施すことにより、連続的に作製することができる。
【００１６】
そして、封書の周辺部が貼着されるように、所定の辺部にそれぞれ感圧接着剤などを塗布して弱接着の封着部を形成する。すなわち、裏紙片１０及び表紙片２０の内面側における上下の縁部と糊代片４０の内面側における縁部にそれぞれ封着部ｇを形成し、さらに糊代片４０の封着部ｇに対応する裏紙片１０の外面側にも封着部を形成する。次いで、折込み部３０の折込み紙片３１〜３３を折線ｂ，ｃ，ｄで裏紙片１０に対し交互に折り畳んだ後、このＺ状に折り畳んだ折込み紙片３１〜３３にかからないようにして裏紙片１０と表紙片２０の上下の縁部における内面同士を貼着すると共に、糊代片４０の内面側を裏紙片１０の外面側に貼着して図２に示す封書の形態とする。
【００１７】
封書の形態とした販促用フォームＦは、ダイレクトメールとして郵便や宅配により顧客に配送する。そして、郵便で配送する場合は、定形サイズ（最大：長さ２３．５ｃｍ、幅１２ｃｍ、厚さ１ｃｍ）としておくことにより料金面で好都合である。
【００１８】
図２に示す封書形態の販促用フォームＦは、糊代片４０を裏紙片１０から剥がし、その糊代片４０を引っ張るようにして表紙片２０を裏紙片１０から引き剥がすことで図３に示す状態に開封される。この図３に示す状態に開封すると、裏紙片１０と折込み紙片３１〜３３の上端縁が順次ずれた段違い状になっているので、ここにインデックスを印刷しておくことで、開封時にインデックスが現れることになり、見る人に対して中身に関心を持たせることができる。
【００１９】
図４は図１〜図３で説明した販促用フォームの変形例を示す説明図である。この図４に示す販促用フォームＦは、裏紙片１０と折込み部３０の境界線、図１で言えば折線ｂを切離し可能なミシン目としたものである。この販促用フォームは、上記したものと同様な効果を発揮するのに加え、図示の如く折込み部３０をインデックス付き冊子として切り離すことができる。この場合、宛名（個人情報）や封着部は完全に切り離せる。
【００２０】
図５は図１〜図３で説明した販促用フォームのさらに別の変形例を示す正面図である。この図５に示す販促用フォームＦは、Ｚ状に折り畳んだ折込み紙片３１〜３３における段違い状の部分が一部見えるように表紙片２０の上部に切込２０ａを設けている。したがって、切込２０ａの部分から見える段違い状の部分にインデックスを印刷しておくことにより、表紙片２０を開けなくてもインデックスが見えるので、中身をアピールできる。なお、インデックスが見えさえすれば、このような切込２０ａを設ける代わりに任意形状の開口を設けてもよい。このタイプの販促用フォームは、郵便では送れない場合もあるが、その場合は宅配便で送ることができる。
【００２１】
なお、図５に示すような切込や開口を設けた販促用フォームは、テイクワンとして利用する場合、特に封書の形態にしなくてもよい。すなわち、図１で言えば糊代片４０を省略するとともに裏紙片１０と表紙片２０に封着部ｇを設けないでおき、折込み紙片３１〜３３をＺ折りして表紙片２０を折線ａで折り曲げただけの状態にする。そして、このように折込み紙片３１〜３３を折り込んだだけの販促用フォームを、店頭の透明ケース等に立てた状態で重ねて入れ、持ち帰り用のパンフレットとして利用すると、外から見えるインデックスにより中身を見たいという動機付けがなされ、見る人に対して手に取る気持ちを起こさせる効果を発揮できる。
【００２２】
以上、本発明の実施の形態について詳細に説明してきたが、本発明による販促用フォームは、上記したような実施の形態に何ら限定されるものではなく、本発明の趣旨を逸脱しない範囲において種々の変更が可能であることは当然のことである。
【００２３】
例えば、上記の例では折込み紙片３１〜３３における上端縁を順次ずれた段違い状としたが、下端縁を順次ずれた段違い状にしてもよく、さらには上下両端縁ともに順次ずれた段違い状としても構わない。
【００２４】
また、折込み部に施す段付き加工は、図１で示したような階段状だけでなく、端縁を凹凸状にしたり曲線にしたりするなど任意の形状に型抜きしても構わない。端縁の形状を必要に応じて選択することによって、より目立つインデックスを作ることができる。
【００２５】
また、折込み紙片３１〜３３の適宜位置にハガキ、クーポン、チケット等を印刷する形態を採ることもできるし、さらにはその部分を切離し可能にすることもできる。
【図面の簡単な説明】
【００２６】
【図１】本発明に係る販促用フォームを構成する印刷用紙の一例を示す展開図である。
【図２】図１の印刷用紙を封書形態とした販促用フォームを示しており、（Ａ）は正面図、（Ｂ）は背面図である。
【図３】図２に示す封書形態の販促用フォームを開封状態で示す正面図である。
【図４】図１〜図３で説明した販促用フォームの変形例を示す説明図である。
【図５】図１〜図３で説明した販促用フォームのさらに別の変形例を示す正面図である。
【符号の説明】
【００２７】
Ｆ  販促用フォーム
Ｓ  印刷用紙
ａ〜ｅ  折線
ｇ  封着部
１０  裏紙片
２０  表紙片
２０ａ  切込
３０  折込み部
３１，３２，３３  折込み紙片
４０  糊代片
【図１】
2005254460.tif 000003
【図２】
2005254460.tif 000004
【図３】
2005254460.tif 000005
【図４】
2005254460.tif 000006
【図５】
2005254460.tif 000007